(57)【要約】本発明は、エネルギー効率の良いシステム運用を可能にする参照信号構成に関する装置、方法、コンピュータプログラム、コンピュータプログラム製品、およびコンピュータ可読媒体を提供する。好適な実施形態は、ユーザ機器に不連続受信が適用されるかどうかを判定することと、前記不連続受信が適用されると判定された場合、前記ユーザ機器の有効時間外に信号が存在するかどうかを判定することと、を含む。【選択図】図５
2021528006.tif 000002
【特許請求の範囲】
【請求項１】
ユーザ機器において使用する方法であって、
前記ユーザ機器に不連続受信（Discontinuous Reception：ＤＲＸ）が適用されるかどうかを判定することと、
前記不連続受信が適用されると判定された場合、前記ユーザ機器の有効時間外に信号が存在するかどうかを判定することと、
を含む方法。
【請求項２】
ダウンリンクチャネルを監視するために前記ユーザ機器に適用される不連続受信サイクル（ＤＲＸサイクル）の長さを検出することと、
前記ＤＲＸサイクルの前記検出された長さに基づいて、前記ＤＲＸサイクル内の前記有効時間外に前記信号が存在するかどうかを判定することと、
をさらに含む、請求項１に記載の方法。
【請求項３】
前記有効時間は、前記ユーザ機器がダウンリンクチャネルを監視する期間である、請求項１または２に記載の方法。
【請求項４】
前記ユーザ機器に適用されるＤＲＸサイクルが短ＤＲＸサイクルに対応する場合、前記信号は前記有効時間外に存在すると判定することと、
前記ユーザ機器に適用される前記ＤＲＸサイクルが長ＤＲＸサイクルに対応する場合、前記信号は前記有効時間内にのみ存在すると判定することと、
をさらに含む、請求項１から３のいずれかに記載の方法。
【請求項５】
前記ユーザ機器に適用されるＤＲＸサイクルが短ＤＲＸサイクルに対応する場合、信号の第１のセットが存在すると判定され、
前記ユーザ機器に適用される前記ＤＲＸサイクルが長ＤＲＸサイクルに対応する場合、信号の第２のセットが存在すると判定され、
前記第１のセットと前記第２のセットとは、互いに重複がないか、部分的に重複している、請求項１から３のいずれかに記載の方法。
【請求項６】
前記ユーザ機器に適用されるＤＲＸサイクルが短ＤＲＸサイクルに対応する場合、信号の第１のセットが存在すると判定され、
前記ユーザ機器に適用される前記ＤＲＸサイクルが長ＤＲＸサイクルに対応する場合、信号の第２のセットが存在すると判定され、
前記第２のセットは前記第１のセットのサブセットである、請求項１から３のいずれかに記載の方法。
【請求項７】
ＤＲＸサイクルの検出された長さを所定の閾値と比較することと、
前記ＤＲＸサイクルの前記検出された長さと前記所定の閾値との前記比較に基づいて、信号が存在するかどうかを判定することと、
をさらに含む、請求項１に記載の方法。
【請求項８】
前記ＤＲＸサイクルの前記長さが前記閾値を下回ると判定された場合、前記信号が存在すると判定することと、
前記ＤＲＸサイクルの前記長さが前記閾値を上回ると判定された場合、前記信号が存在しないと判定することと、
をさらに含む、請求項７に記載の方法。
【請求項９】
前記信号は参照信号（Reference Signal：ＲＳ）であり、または、
前記信号はチャネル状態情報参照信号（Channel State Information Reference Signal：ＣＳＩ−ＲＳ）であり、さらに／または、
前記ダウンリンクチャネルは物理ダウンリンク制御チャネル（Physical Downlink Control Channel：ＰＤＣＣＨ）である、請求項１から８のいずれかに記載の方法。
【請求項１０】
ＤＲＸサイクルの長さが、無線リソース構成情報要素（Radio Resource Configuration Information Element：ＲＲＣ  ＩＥ）内のＣＳＩ−ＲＳ構成またはＤＲＸ構成の一部として示される、請求項９に記載の方法。
【請求項１１】
前記ＲＲＣ  ＩＥは、前記ＤＲＸサイクルの前記長さが短いもしくは長いことを示し、または前記ＣＳＩ−ＲＳが存在しないことを示す、請求項１０に記載の方法。
【請求項１２】
前記不連続受信は接続モード不連続受信（Connected mode Discontinuous Reception：Ｃ−ＤＲＸ）であり、ダウンリンクチャネルを監視するために前記ユーザ機器に適用される、請求項１から１１のいずれかに記載の方法。
【請求項１３】
前記不連続受信はＩＤＬＥモード不連続受信であり、ダウンリンクチャネルを監視するために前記ユーザ機器に適用される、請求項１から１１のいずれかに記載の方法。
【請求項１４】
ユーザ機器において使用する方法であって、
チャネル状態情報参照信号（Channel State Information Reference Signal：ＣＳＩ−ＲＳ）が存在する時間ウィンドウを検出することと、
前記ユーザ機器に適用される不連続受信（Discontinuous Reception：ＤＲＸ）サイクル（ＤＲＸサイクル）の長さを検出することと、を含み、
前記時間ウィンドウの長さは前記ＤＲＸサイクルの前記長さに依存する。
【請求項１５】
前記ＤＲＸサイクルの前記長さが長いほど、前記時間ウィンドウも長い、請求項１４に記載の方法。
【請求項１６】
前記ＤＲＸサイクルの前記長さが所定の閾値を上回る場合、前記ＤＲＸサイクルの前記長さが前記所定の閾値を下回る場合よりも前記時間ウィンドウは長い、請求項１４または１５に記載の方法。
【請求項１７】
前記時間ウィンドウは、
前記ユーザ機器がダウンリンクチャネルを監視する期間である有効時間とそろえられて、これと重複しているか、
前記有効時間と少なくとも部分的に重複しているか、
前記有効時間の直前であって、これと重複していないか、
単に前記有効時間と重複していないか、
のうちの少なくとも１つである、請求項１４から１６のいずれかに記載の方法。
【請求項１８】
前記信号は参照信号（Reference Signal：ＲＳ）であり、または、
前記信号はチャネル状態情報参照信号（ＣＳＩ−ＲＳ）であり、さらに／または、
前記ダウンリンクチャネルは物理ダウンリンク制御チャネル（Physical Downlink Control Channel：ＰＤＣＣＨ）である、請求項１４から１７のいずれかに記載の方法。
【請求項１９】
前記不連続受信は接続モード不連続受信（Connected mode Discontinuous Reception：Ｃ−ＤＲＸ）であり、ダウンリンクチャネルを監視するために前記ユーザ機器に適用され、または、
前記不連続受信はＩＤＬＥモード不連続受信であり、ダウンリンクチャネルを監視するために前記ユーザ機器に適用される、請求項１４から１８のいずれかに記載の方法。
【請求項２０】
少なくとも１つのプロセッサと、
前記プロセッサによって実行される命令を格納するための少なくとも１つのメモリと、
を備える装置であって、
前記少なくとも１つのメモリおよび前記命令は、前記少なくとも１つのプロセッサによって、前記装置に少なくとも、
ユーザ機器に不連続受信が適用されるかどうかを判定することと、
前記不連続受信が適用されると判定された場合、前記ユーザ機器の有効時間外に信号が存在するかどうかを判定することと、
を遂行させるように構成されている、装置。
【請求項２１】
前記少なくとも１つのメモリおよび前記命令は、前記少なくとも１つのプロセッサによって、前記装置に少なくとも、
ダウンリンクチャネルを監視するために前記ユーザ機器に適用される不連続受信（Discontinuous Reception：ＤＲＸ）サイクル（ＤＲＸサイクル）の長さを検出することと、
前記ＤＲＸサイクルの前記検出された長さに基づいて、前記ＤＲＸサイクル内の前記有効時間外に前記信号が存在するかどうかを判定することと、
を遂行させるようにさらに構成されている、請求項２０に記載の装置。
【請求項２２】
前記有効時間は、前記ユーザ機器がダウンリンクチャネルを監視する期間である、請求項２０または２１に記載の装置。
【請求項２３】
前記少なくとも１つのメモリおよび前記命令は、前記少なくとも１つのプロセッサによって、前記装置に少なくとも、
前記ユーザ機器に適用されるＤＲＸサイクルが短ＤＲＸサイクルに対応する場合、前記信号は前記有効時間外に存在すると判定することと、
前記ユーザ機器に適用される前記ＤＲＸサイクルが長ＤＲＸサイクルに対応する場合、前記信号は前記有効時間内にのみ存在すると判定することと、
を遂行させるようにさらに構成されている、請求項２０から２２のいずれかに記載の装置。
【請求項２４】
前記ユーザ機器に適用されるＤＲＸサイクルが短ＤＲＸサイクルに対応する場合、信号の第１のセットが存在すると判定され、
前記ユーザ機器に適用される前記ＤＲＸサイクルが長ＤＲＸサイクルに対応する場合、信号の第２のセットが存在すると判定され、
前記第１のセットと前記第２のセットとは、互いに重複がないか、部分的に重複している、請求項２０から２２のいずれかに記載の装置。
【請求項２５】
前記ユーザ機器に適用されるＤＲＸサイクルが短ＤＲＸサイクルに対応する場合、信号の第１のセットが存在すると判定され、
前記ユーザ機器に適用される前記ＤＲＸサイクルが長ＤＲＸサイクルに対応する場合、信号の第２のセットが存在すると判定され、
前記第２のセットは前記第１のセットのサブセットである、請求項２０から２２のいずれかに記載の装置。
【請求項２６】
前記少なくとも１つのメモリおよび前記命令は、前記少なくとも１つのプロセッサによって、前記装置に少なくとも、
ＤＲＸサイクルの検出された長さを所定の閾値と比較することと、
前記ＤＲＸサイクルの前記検出された長さと前記所定の閾値との前記比較に基づいて、信号が存在するかどうかを判定することと、
を遂行させるようにさらに構成されている、請求項２０に記載の装置。
【請求項２７】
前記少なくとも１つのメモリおよび前記命令は、前記少なくとも１つのプロセッサによって、前記装置に少なくとも、
前記ＤＲＸサイクルの前記長さが前記閾値を下回ると判定された場合、前記信号が存在すると判定することと、
前記ＤＲＸサイクルの前記長さが前記閾値を上回ると判定された場合、前記信号が存在しないと判定することと、
を遂行させるようにさらに構成されている、請求項２６に記載の装置。
【請求項２８】
前記信号は参照信号（Reference Signal：ＲＳ）であり、または、
前記信号はチャネル状態情報参照信号（Channel State Information Reference Signal：ＣＳＩ−ＲＳ）であり、さらに／または、
前記ダウンリンクチャネルは物理ダウンリンク制御チャネル（Physical Downlink Control Channel：ＰＤＣＣＨ）である、請求項２０から２７のいずれかに記載の装置。
【請求項２９】
ＤＲＸサイクルの長さが、無線リソース構成情報要素（Radio Resource Configuration Information Element：ＲＲＣ  ＩＥ）内のＣＳＩ−ＲＳ構成またはＤＲＸ構成の一部として示される、請求項２８に記載の装置。
【請求項３０】
前記ＲＲＣ  ＩＥは、前記ＤＲＸサイクルの前記長さが短いもしくは長いことを示し、または前記ＣＳＩ−ＲＳが存在しないことを示す、請求項２９に記載の装置。
【請求項３１】
前記不連続受信は接続モード不連続受信（Connected mode Discontinuous Reception：Ｃ−ＤＲＸ）であり、ダウンリンクチャネルを監視するために前記ユーザ機器に適用される、請求項２０から３０のいずれかに記載の装置。
【請求項３２】
前記不連続受信はＩＤＬＥモード不連続受信であり、ダウンリンクチャネルを監視するために前記ユーザ機器に適用される、請求項２０から３０のいずれかに記載の装置。
【請求項３３】
少なくとも１つのプロセッサと、
前記プロセッサによって実行される命令を格納するための少なくとも１つのメモリと、
を備える装置であって、
前記少なくとも１つのメモリおよび前記命令は、前記少なくとも１つのプロセッサによって、前記装置に少なくとも、
チャネル状態情報参照信号（Channel State Information Reference Signal：ＣＳＩ−ＲＳ）が存在する時間ウィンドウを検出することと、
ユーザ機器に適用される不連続受信（Discontinuous Reception：ＤＲＸ）サイクル（ＤＲＸサイクル）の長さを検出することと、
を遂行させるように構成され、
前記時間ウィンドウの長さは前記ＤＲＸサイクルの前記長さに依存する、装置。
【請求項３４】
前記ＤＲＸサイクルの前記長さが長いほど、前記時間ウィンドウも長い、請求項３３に記載の装置。
【請求項３５】
前記ＤＲＸサイクルの前記長さが所定の閾値を上回る場合、前記ＤＲＸサイクルの前記長さが前記所定の閾値を下回る場合よりも前記時間ウィンドウは長い、請求項３３または３４に記載の装置。
【請求項３６】
前記時間ウィンドウは、
前記ユーザ機器がダウンリンクチャネルを監視する期間である有効時間とそろえられて、これと重複しているか、
前記有効時間と少なくとも部分的に重複しているか、
前記有効時間の直前であって、これと重複していないか、
単に前記有効時間と重複していないか、
のうちの少なくとも１つである、請求項３３から３５のいずれかに記載の装置。
【請求項３７】
前記信号は参照信号（Reference Signal：ＲＳ）であり、または、
前記信号はチャネル状態情報参照信号（ＣＳＩ−ＲＳ）であり、さらに／または、
前記ダウンリンクチャネルは物理ダウンリンク制御チャネル（Physical Downlink Control Channel：ＰＤＣＣＨ）である、請求項３３から３６のいずれかに記載の装置。
【請求項３８】
前記不連続受信は接続モード不連続受信（Connected mode Discontinuous Reception：Ｃ−ＤＲＸ）であり、ダウンリンクチャネルを監視するために前記ユーザ機器に適用され、または、
前記不連続受信はＩＤＬＥモード不連続受信であり、ダウンリンクチャネルを監視するために前記ユーザ機器に適用される、請求項３３から３７のいずれかに記載の装置。
【請求項３９】
ユーザ機器に不連続受信が適用されるかどうかを判定する手段と、
前記不連続受信が適用されると判定された場合、前記ユーザ機器の有効時間外に信号が存在するかどうかを判定する手段と、
を備える装置。
【請求項４０】
チャネル状態情報参照信号（Channel State Information Reference Signal：ＣＳＩ−ＲＳ）が存在する時間ウィンドウを検出する手段と、
ユーザ機器に適用される不連続受信（Discontinuous Reception：ＤＲＸ）サイクル（ＤＲＸサイクル）の長さを検出する手段と、
を備える装置であって、
前記時間ウィンドウの長さは前記ＤＲＸサイクルの前記長さに依存する、装置。
【請求項４１】
少なくとも、
ユーザ機器に不連続受信が適用されるかどうかを判定することと、
前記不連続受信が適用されると判定された場合、前記ユーザ機器の有効時間外に信号が存在するかどうかを判定することと、
を実施するために、格納された命令を備えるコンピュータプログラム。
【請求項４２】
少なくとも、
チャネル状態情報参照信号（Channel State Information Reference Signal：ＣＳＩ−ＲＳ）が存在する時間ウィンドウを検出することと、
ユーザ機器に適用される不連続受信（Discontinuous Reception：ＤＲＸ）サイクル（ＤＲＸサイクル）の長さを検出することと、
を実施するために、格納された命令を備えるコンピュータプログラムであって、
前記時間ウィンドウの長さは前記ＤＲＸサイクルの前記長さに依存する、コンピュータプログラム。
【請求項４３】
請求項４１または４２に記載のコンピュータプログラムを格納したコンピュータ可読媒体。
【発明の詳細な説明】
【技術分野】
【０００１】
各種例示的実施形態は、エネルギー効率の良いシステム運用を可能にする参照信号構成に関わる装置、方法、システム、コンピュータプログラム、コンピュータプログラム製品、およびコンピュータ可読媒体に関する。
【０００２】
略記とその定義
３ＧＰＰ    （3rd Generation Partnership Program）第３世代パートナーシッププログラム
ＢＭ        （Beam Management）ビーム管理
ＣＯＲＥＳＥＴ    （Control Resource Set）制御リソースセット
ＣＲＳ        （Cell-specific Reference Signal）セル特定参照信号
ＣＳＩ        （Channel State Information）チャネル状態情報
Ｃ−ＤＲＸ    （Connected mode DRX）接続モードＤＲＸ
ＤＬ        （Downlink）ダウンリンク
ＤＲＸ        （Discontinuous Reception）不連続受信
ＤＴＸ        （Discontinuous Transmission）不連続送信
ＦＲ        （Frequency Range）周波数範囲
ｇＮＢ        （Next Generation NodeB）次世代ノードＢ
ＬＴＥ        （Long Term Evolution）ロングタームエボリューション
ＭＡＣ−ＣＥ    （Medium Access Control-Control Element）媒体アクセス制御制御要素
ＮＲ        （New Radio）新無線
ＰＤＣＣＨ    （Physical Downlink Control Channel）物理ダウンリンク制御チャネル
ＰＤＳＣＨ    （Physical Downlink Shared Channel）物理ダウンリンク共有チャネル
ＰＵＣＣＨ    （Physical Uplink Control Channel）物理アップリンク制御チャネル
ＱＣＬ        （Quasi co−location）疑似同位置
ＲＲＭ        （Radio Resource Management）無線リソース管理
ＲＳ        （Reference Signal）参照信号
ＲＳＲＰ    （Reference Signal Received Power）参照信号受信電力
ＳＳ        （Synchronization Signal）同期信号
ＳＳＢ        （Synchronization Signal Block）同期信号ブロック
ＴＣＩ        （Transmission Configuration Indication）送信構成標示
ＴＸＲＵ    （Transceiver Unit）送受信機ユニット
ＵＥ        （User Equipment）ユーザ機器
ＵＬ        （Uplink）アップリンク
【背景】
【０００３】
本発明の特定の態様は、３ＧＰＰ  ＮＲの物理層設計に関する。より詳細には、本発明の特定の態様は、ビーム管理、および／またはＬ３モビリティ測定とレポーティング、および／またはＣ−ＤＲＸで構成されている際のスケジューリングを行うときのＵＥ挙動に関する。
【摘要】
【０００４】
各種例示的実施形態の目的は、エネルギー効率の良いシステム運用を可能にする参照信号構成に関わる装置、方法、システム、コンピュータプログラム、コンピュータプログラム製品、およびコンピュータ可読媒体を提供することである。
【０００５】
各種例示的実施形態の一態様によると、方法が提供される。当該方法は、
ユーザ機器に不連続受信が適用されるかどうかを判定することと、
前記不連続受信が適用されると判定された場合、前記ユーザ機器の有効時間外に信号が存在するかどうかを判定することと、を含む。
【０００６】
各種例示的実施形態の別の態様によると、方法が提供される。当該方法は、
チャネル状態情報参照信号（ＣＳＩ−ＲＳ）が存在する時間ウィンドウを検出することと、
ユーザ機器に適用される不連続受信サイクル（ＤＲＸサイクル）の長さを検出することと、を含み、
前記時間ウィンドウの長さは前記ＤＲＸサイクルの前記長さに依存する。
【０００７】
各種例示的実施形態の一態様によると、装置が提供される。当該装置は、
少なくとも１つのプロセッサと、
前記プロセッサによって実行される命令を格納するための少なくとも１つのメモリと、
を備える装置であって、
前記少なくとも１つのメモリおよび前記命令は、前記少なくとも１つのプロセッサによって、前記装置に少なくとも、
ユーザ機器に不連続受信が適用されるかどうかを判定することと、
前記不連続受信が適用されると判定された場合、前記ユーザ機器の有効時間外に信号が存在するかどうかを判定することと、を遂行させるように構成されている。
【０００８】
各種例示的実施形態の別の態様によると、装置が提供される。当該装置は、
少なくとも１つのプロセッサと、
前記プロセッサによって実行される命令を格納するための少なくとも１つのメモリと、
を備える装置であって、
前記少なくとも１つのメモリおよび前記命令は、前記少なくとも１つのプロセッサによって、前記装置に少なくとも、
チャネル状態情報参照信号（ＣＳＩ−ＲＳ）が存在する時間ウィンドウを検出することと、
ユーザ機器に適用される不連続受信サイクル（ＤＲＸサイクル）の長さを検出することと、を遂行させるように構成され、
前記時間ウィンドウの長さは前記ＤＲＸサイクルの前記長さに依存する。
【０００９】
各種例示的実施形態の一態様によると、装置が提供される。当該装置は、
ユーザ機器に不連続受信が適用されるかどうかを判定する手段と、
前記不連続受信が適用されると判定された場合、前記ユーザ機器の有効時間外に信号が存在するかどうかを判定する手段と、を備える。
【００１０】
各種例示的実施形態の一態様によると、装置が提供される。当該装置は、
チャネル状態情報参照信号（ＣＳＩ−ＲＳ）が存在する時間ウィンドウを検出する手段と、
ユーザ機器に適用される不連続受信サイクル（ＤＲＸサイクル）の長さを検出する手段と、を備え、
前記時間ウィンドウの長さは前記ＤＲＸサイクルの前記長さに依存する。
【００１１】
本発明の別の態様によると、コンピュータプログラム製品が提供される。当該コンピュータプログラム製品は、コンピュータのメモリに展開されると、上述のいずれかの方法のステップを生成するように適合されたコード手段を備える。
【００１２】
本発明のさらに別の態様によると、上述のコンピュータプログラム製品が提供される。当該コンピュータプログラム製品は、ソフトウェアコード部分が格納されるコンピュータ可読媒体を備える。
【００１３】
本発明のさらに別の態様によると、上述のコンピュータプログラム製品が提供される。当該プログラムは、処理デバイスの内部メモリに直接展開可能である。
【００１４】
各種例示的実施形態の一態様によると、上述のコンピュータプログラムを格納するコンピュータ可読媒体が提供される。
【００１５】
本発明のさらなる態様や特徴は従属請求項に記載される。
【図面の簡単な説明】
【００１６】
上述等の目的、特徴、詳細、および効果は、以下の添付する図面に関連して説明される、各種態様／実施形態の後述の詳細説明からより明白となろう。
【図１】ＣＳＩ−ＲＳ周期性およびＵＥのＣ−ＤＲＸサイクルを示す図である。
【図２】本発明の特定の態様に係るＣＳＩ−ＲＳ存在ウィンドウの例を示す図である。
【図３】本発明の特定の態様に係るＣＳＩ−ＲＳ存在時間ウィンドウとＤＲＸサイクル長との関係を示す図である。
【図４】本発明の特定の態様に係る方法の例を示すフローチャートである。
【図５】本発明の特定の態様に係る方法の別の例を示すフローチャートである。
【図６】本発明の特定の態様に係る装置の例を示すブロック図である。
【詳細説明】
【００１７】
本開示は、本明細書において特定の非限定的な例であり、想定し得る実施形態と現時点で考えられるものを参照して説明される。当業者には、本開示がこれらの例や実施形態に何ら限定されるものではなく、より広く適用し得ることは自明である。
【００１８】
以下では、本開示の一部の例示的態様および実施形態を、図面を参照して説明する。各種実施形態の説明のために、これらの例および実施形態は、例えばＬＴＥ／ＬＴＥ−Ａベースのシステム、５Ｇ／ＮＲシステムなど３ＧＰＰベースの通信システムに基づくセルラー通信ネットワークに関連して説明される。このように、本明細書における例示的実施形態は、これに直接関連する用語に特に言及して説明される。これらの用語は、提示される非限定的な例および実施形態の文脈においてのみ使用されており、当然ながら本開示を何ら限定するものではない。むしろ、本明細書の記載に準拠し、さらに／あるいは本明細書に記載の例示的実施形態が適用可能であれば、任意の別のシステム構成や配置も同等に利用可能である。さらに、各種実施形態は、それらの種類の通信システムや通信ネットワークを使用する用途に限定されるものではなく、別の種類の通信システムや通信ネットワークにも適用可能である。
【００１９】
ＬＴＥ接続モードＤＲＸは、ＴＳ３６．３２１セクション５．７に定義されているルールおよびパラメータに沿った不連続な形で、ＵＥがＰＤＣＣＨを監視できるように決定されている。ＵＥがＰＤＣＣＨを監視する必要がない場合は、自身の受信ハードウェアをオフにし、受信部の電力消費を抑える。Ｔ３６．３２１（セクション５.７）に記載の最も関連するパラメータは以下のとおりである。
・  ｄｒｘ−ＩｎａｃｔｉｖｉｔｙＴｉｍｅｒ（非動作タイマ）：ＤＬおよび／またはＵＬ動作の中断後どのぐらい経過すると、ＵＥが不連続ＰＤＣＣＨ監視を適用開始し得るかを決定。ｄｒｘ−ＩｎａｃｔｉｖｉｔｙＴｉｍｅｒが失効すると、ｏｎＤｕｒａｔｉｏｎＴｉｍｅｒ（オン期間タイマ）の間に限って、ＤＲＸサイクルごとに一回、ＵＥはＰＤＣＣＨを監視する必要がある。ｓｈｏｒｔＤＲＸ−Ｃｙｃｌｅ（短ＤＲＸサイクル、任意）およびｌｏｎｇＤＲＸ−Ｃｙｃｌｅ（長ＤＲＸサイクル）の２つの異なるＤＲＸサイクルが構成可能である。
・  ｓｈｏｒｔＤＲＸ−Ｃｙｃｌｅに準じたＰＤＣＣＨ不連続監視パターン（構成されている場合）が先に適用され、その後、ｌｏｎｇＤＲＸ−Ｃｙｃｌｅが適用される。
・  ｏｎＤｕｒａｔｉｏｎＴｉｍｅｒ：（他のルールに規定されていない場合）ＤＲＸサイクルごとにＵＥがＰＤＣＣＨを監視する必要のある最小の有効時間を決定。
・  定義されたｓｈｏｒｔＤＲＸ−Ｃｙｃｌｅがない場合、またはｄｒｘＳｈｏｒｔＣｙｃｌｅＴｉｍｅｒ（短ＤＲＸサイクルの適用後どのぐらい経過すると、ＵＥが長ＤＲＸを使用開始し得るかを決定）が失効すると、ＵＥは、ｌｏｎｇＤＲＸ−Ｃｙｃｌｅに準じて不連続な形でＰＤＣＣＨの監視を開始し得る。
【００２０】
ＤＲＸサイクルは、起こり得る非動作期間後に、オンの期間の周期的な繰り返しを特定する。
【００２１】
この例示的な実施形態の文脈に関連する別のルールとして、新たな送信がＰＤＣＣＨ（ＤＬまたはＵＬのいずれか）によってＵＥに示された場合、ＵＥはｄｒｘ−ＩｎａｃｔｉｖｉｔｙＴｉｍｅｒを再始動する必要がある。
【００２２】
Ｌ３モビリティでのＣ−ＤＲＸおよびＣＳＩ−ＲＳ測定に関連する以下の合意が、ＲＡＮ１＃９０に記載されている。
・  ＵＥは、有効時間外にはＬ３モビリティのために構成されたＣＳＩ−ＲＳを測定する必要がない
・  Ｃ−ＤＲＸ有効時間の厳密な定義はＲＡＮ２による。
・  この文脈において、ＲＡＮ１が言及する有効時間は、オン期間に、またはｇＮＢ動作によって起動される何らかのタイマによって、ＵＥがＰＤＣＣＨを監視している時間に関する。
・  すなわち「ｏｎＤｕｒａｔｉｏｎＴｉｍｅｒ」、「ｄｒｘ−ＩｎａｃｔｉｔｉｖｉｔｙＴｉｍｅｒ」、または「ｄｒｘ−ＲｅｔｒａｎｓｍｉｓｓｉｏｎＴｉｍｅｒ」のいずれかが実行されているとき。
・  ＦＦＳ（さらなる研究のために）：
・  Ｌ３モビリティのためのＣＳＩ−ＲＳがＣ−ＤＲＸ動作のためにＣ−ＤＲＸのＵＥの有効時間内に限って構成されているかどうか。
・  ＵＥは、Ｌ３モビリティのための構成されたＣＳＩ−ＲＳリソースが有効時間外に存在するとみなすべきではないかどうか。
【００２３】
同じ会合（ＲＡＮ１＃９０）において、ＢＭに使用され得るＲＳに関する合意が出されている。
・  ビーム管理手順のためのＳＳブロックの測定のＬ１−ＲＳＲＰレポーティングをサポート。
・  ビーム管理のためのＬ１−ＲＳＲＰレポーティングの以下の構成がサポートされる。
・  ＳＳブロックのみ（ＵＥによる強制的サポート）
・  ＣＳＩ−ＲＳのみ（ＵＥによる強制的サポート）
・  ＳＳブロック＋ＣＳＩ−ＲＳ非依存のＬ１  ＲＳＲＰレポーティング
・  ＱＣＬのＳＳブロック＋ＣＳＩ−ＲＳを使用する合同Ｌ１−ＲＳＲＰを、ＵＥが任意でサポートする（ＵＥによる任意サポート）。
【００２４】
以下は、ＲＡＮ２＃７５その２（#75bis）におけるＣ−ＤＲＸに関する合意である。
・  ＭＡＣエンティティは、所与の時間において１つのＤＲＸ状態（すなわち単一のオン／オフ時間）となり得る。さらなる研究のために、複数の構成がサポートされるか。
・  ＭＡＣエンティティが起動している場合、「ＰＤＣＣＨ」の機会を監視する。
・  ＮＲにおいて、ＤＲＸ構成が少なくとも、オンの期間の時間、非動作時間、再送時間、短ＤＲＸサイクル、長ＤＲＸサイクルという構成パラメータによって記述される。
【００２５】
ＮＲの目的の一つは、ネットワークエネルギー消費を抑えることである。これを可能にする手法としては、常にオンの信号の量および周期性を低減することが挙げられる。Ｃ−ＤＲＸは、ＵＥ電力消費を改善し、ＵＥが接続モードに保たれてレイテンシを最小化するための魅力的な特徴である。ＣＲＳが常に利用可能であるＬＴＥでは、ＲＳの送信においてＵＥのＤＲＸ動作を考慮する必要がない。ＮＲにおいては、常にオンの信号のみがＳＳＢであり、構成されていればＣＳＩ−ＲＳが存在するのみである。動作の観点からは、必要となる測定周期性と動作は異なり、すなわちＤＲＸのＵＥは、データ活動を何ら有さない場合はより低頻度の測定が可能であり、ＵＥがデータ活動を有する場合はより高頻度の測定が必要となる。現在のＣＳＩ−ＲＳ構成に対する合意は、ネットワークを以下のオプションのいずれかのみに制限している。
・  周期性のあるごく低頻度のＣＳＩ−ＲＳリソースを有する。これは、Ｃ−ＤＲＸサイクルに基づいて構成されることに対応し（ＵＥが有効であっても）、オーバーヘッドが抑えられるが、測定／レポーティングのレイテンシが増加し、測定レポーティングがＣＳＩ−ＲＳ周期性に依存し得る。
・  例えばＢＭ（ビーム管理）レイテンシの目標を満たす周期性で構成されたＣＳＩ−ＲＳを有するが、強制的にネットワークに当該周期性のあるこれらのＣＳＩ−ＲＳを常にオンにさせ、Ｃ−ＤＲＸのＵＥ測定性能には何ら影響がない（ＵＥはオンの期間／有効時間の間のみ測定を実施する必要があるため）。
・  ＵＥがＤＲＸに入る／を中断する際に、その移行点ごとにＣＳＩ−ＲＳリソース周期性を構成および再構成する。
【００２６】
したがって、さらに詳細に述べると、これまでに提示されてきたように、ＲＡＮ１＃９０以前（例えば、ノキアによるＲ１−１７８６１６からＲ１−１８０７１７５）から、ＲＡＮ１＃９０での合意における上記のさらなる研究の事項に関するＵＥ挙動について確定していない態様があり、ネットワークが例えばＬ３モビリティまたはビーム管理またはスケジューリングのためにＣＳＩ−ＲＳを構成できる方法が検討され、有効時間外の構成されたＣＳＩ−ＲＳリソースの存在に関するＵＥの仮定が検討されている。合意のサブ項目として挙げたとおり、この文脈で、有効時間とは、ｏｎＤｕｒａｔｉｏｎＴｉｍｅｒに基づいて、またはｇＮＢ動作によって起動される何らかのタイマによって、ＵＥがＰＤＣＣＨを監視している時間を指す。
【００２７】
さらに、ＴＳ３６．１３３で定義されたＬＴＥのＲＲＭ要件はＣ−ＤＲＸが構成されているとみなし、性能要件がＤＲＸサイクルの有効時間に基づいて決定されることにも注意を払いたい。大半のテストケースでは、ＵＥはＰＤＣＣＨによって連続的に対処され（ｄｒｘ−ＩｎａｃｔｉｖｉｔｙＴｉｍｅｒを常に実行させるために）、ＵＥが不連続監視を開始することを妨げ、性能要件は構成されているＣ−ＤＲＸがない場合と同一である。
【００２８】
したがって、ＵＥ挙動（すなわちＰＤＣＣＨ監視）を決定するルールにより、データ動作があり、ＵＥが幾分連続的に（失効する前のｄｒｘ−ＩｎａｃｔｉｖｉｔｙＴｉｍｅｒごとに少なくとも１回）にスケジューリングされている場合、当該ＵＥは有効時間に留まり、ＰＤＣＣＨを監視する。さらに、ユーザ体験の観点から、データ動作がある場合、モビリティ測定基準もより厳密である必要があることが自明である。ＲＡＮ４における性能要件は、ＵＥモビリティ測定要件が、Ｃ−ＤＲＸが構成されていない場合と同じ基本線に立つと決定する。ＵＥが不連続監視（ＤＲＸ）を開始可能となると、例えばｄｒｘ−ＩｎａｃｔｉｖｉｔｙＴｉｍｅｒ期間についてＵＥに対処したＰＤＣＣＨ動作がなく、ユーザ体験にとっての長期化されたモビリティ手順の影響の深刻さが軽減され、ＵＥはより低頻度で（ＲＡＮ４要件に関して）測定を行うことが可能となる。
【００２９】
この議論に基づいて、ネットワークがＵＥの有効時間においてのみＣＳＩ−ＲＳリソースを構成可能とする要件について、また、ＵＥのデータ動作に合致するモビリティ性能の確保をネットワークが要する場合、移行点（ＤＲＸオン−オフ−オン）ごとに（例えばＬ３モビリティまたはビーム管理またはスケジューリングのための）ＣＳＩ−ＲＳリソースの再構成を行うことが必要となり得る。つまり、構成された非動作タイマ期間に何らデータ動作がない場合、ＵＥはＤＲＸモードに入り、不連続的にＰＤＣＣＨを監視することができ、ネットワークの方では、ＣＳＩ−ＲＳリソースを再構成して、構成されたＤＲＸサイクルに対応する周期性を適用する必要がある。当然ながら、何らかの動作によって有効時間が延長し得る（ｄｒｘ−ＩｎａｃｔｉｖｉｔｙＴｉｍｅｒのリセットによって）。データ動作が開始すると、ネットワークは、ＵＥによるより高頻度なＣＳＩ−ＲＳ測定を可能にすることによってモビリティ性能の確保を要し、ネットワークは、再構成を行い、ＣＳＩ−ＲＳの周期性を（より高頻度に）変更する必要があり得る。短い送信バーストの場合、連続した高頻度の再構成となり、これによってシグナリングのオーバーヘッドやエネルギー消費が増加してしまう。
【００３０】
当然ながら、ネットワークが、常に想定し得る有効時間に対応する単一の構成（すなわちｌｏｎｇＤＲＸ−Ｃｙｃｌｅごとに適用されたｏｎＤｕｒａｔｉｏｎＴｉｍｅｒ）を使用する場合もある。これによって、ＣＳＩ−ＲＳに基づくモビリティ性能は、ＤＲＸサイクルに基づく静的な構成によって有効時間であっても制限され得る。
【００３１】
したがって、ネットワークがＵＥの有効時間内にのみＣＳＩ−ＲＳリソースを構成可能とする要件は、Ｌ３モビリティまたはビーム管理またはスケジューリングのためのＣＳＩ−ＲＳの使用を著しく妨げる。
【００３２】
上述の手法では、ＵＥの有効時間やＤＲＸと、ＣＳＩ−ＲＳ構成、ひいてはＵＥモビリティ性能およびロバストネスの間に何らかの関連を必要とするため、全体のシステム構成の柔軟性にも制限を加え得る。このような関連付けは好ましくなく、システム設計を複雑にしてしまう。
【００３３】
したがって、ＣＳＩ−ＲＳ構成についてのネットワーク側の柔軟性を確保し、ＵＥのＤＲＸ構成に基づく構成の変更／適合の必要性を最小限とするために、ネットワークがより高頻度に、Ｌ３モビリティ、ビーム管理および／またはスケジューリングのためのＣＳＩ−ＲＳを構成できることが望まれている。
【００３４】
ＵＥのＤＲＸ構成が変更し得る中で、ＵＥ有効期間外のＣＳＩ−ＲＳリソースをネットワークが構成しないことに対して、何ら制限が設けられるべきではないが、ＣＳＩ−ＲＳ構成を適合する必要性はないであろう。上述のとおり、有効データ送信については、データに対する有効ビームを十分高頻度で更新できることが好ましく、これを実現するために、測定およびレポーティングを可能とするべく高頻度ＲＳ（すなわちＣＳＩ−ＲＳ）を送信する必要がある。ただし、このような構成は、リソースのオーバーヘッドが著しく大きくなり、不必要に維持されるべきではない。したがって、ＵＥにＣ−ＤＲＸが構成され、データ動作が中断した場合、ＵＥが省電力を開始することが可能になり、これらのリソースが既に合意されたように存在する必要がなくなり、ＵＥは有効時間外のＣＳＩ−ＲＳを測定する必要がない。このオーバーヘッドを抑えるために、上述のとおり、ネットワークは、データ動作（ＲＲＣシグナリング）の最後に構成の変更が必要となり得、データ動作を開始すると、例えばオンの期間の最初に構成の再変更が必要となり得る。この結果、ＲＲＣのオーバーヘッドが著しく大きくなり、望ましくない。よって、ＣＳＩ−ＲＳリソース構成はネットワーク制御下に留め置かれるべきであり、Ｃ−ＤＲＸからは独立して構成可能とすべきである。
【００３５】
上述のとおり、ネットワークがＣ−ＤＲＸからは独立してＣＳＩ−ＲＳリソースを構成する完全な柔軟性を有すると仮定し、ＵＥが有効時間外でＣＳＩ−ＲＳを測定する必要はないとの前回の会合での合意に則り（ＵＥに省電力を可能としつつ、不連続ＰＤＣＣＨ監視を適用する）、有効時間外に発生するＣＳＩ−ＲＳリソースに関する仮定が何であるべきかという問題が残る。ＬＴＥにおいて、ＵＥは、有効時間外であっても、常にオンのＲＳであるＣＲＳの存在によって、測定を行う完全な柔軟性を有している。
【００３６】
ＮＲでは、常にオンの信号のみが原則としてＳＳブロックであり、ＣＳＩ−ＲＳ送信はネットワーク構成に依存する。したがって、ＬＴＥのＣＲＳとは異なり、ＮＲにおけるＵＥは、ＣＳＩ−ＲＳに関する事前の想定を取ることができず、よって、ＮＷによる所与の構成に基づいて常に測定を実施する必要がある。
【００３７】
したがって、ＵＥが有効時間外にＣＳＩ−ＲＳが存在しないとみなし得ると判定したことにより、ＵＥ挙動において重大な事態が発生することはなく、逆に、ＵＥの有効時間外に発生するＣＳＩ−ＲＳの送信を割愛することにより、ネットワークはリソースやエネルギーを節約可能とする。
【００３８】
図１は、例えばＬ３モビリティ、ビーム管理および／またはスケジューリングのためのＣＳＩ−ＲＳをネットワークが周期的に送信する例を示す。ＵＥは、破線の矢印で示すリソースが存在するとみなすべきではなく、これらのリソースは有効時間内に発生した場合（実線の矢印で示す）のみ使用する。
【００３９】
したがって、ＵＥは、例えば接続モードＤＲＸの有効時間外のＬ３モビリティのための構成されたＣＳＩ−ＲＳリソースが存在するとみなすべきではないと提案されている。ただし、この点はＲＡＮ１での合意に至っていない。
【００４０】
ｇＮＢの省電力を可能にするために、本発明の特定の実施形態に係る代替手法を提案する。
【００４１】
これに加えて、特にＦＲ２（ＮＲでの周波数範囲２、すなわち６ＧＨｚ超）について、省電力のためＤＲＸモードに入るＵＥは、実質的にその受信機チェーンを完全にオフにし得る。すなわち、ＵＥはいかなる信号も受信しない。これには、ＣＳＩ−ＲＳおよび／またはＳＳ／ＰＢＣＨブロックなどの任意のダウンリンク参照信号（ＤＬ  ＲＳ）も含まれ得る。ＦＲ２において、ＵＥはＵＥのＲｘビームフォーミングを適用し（ＦＲ１では、ＵＥは全方向性アンテナパターンを有すると想定される）、２つ以上のアンテナパネルを有する（これがＲＡＮ４での基本の想定であり、ＦＲ２についてＲＡＮ４でのＵＥ要件を定義する際に使用される）。
【００４２】
ただし、上述のとおり、ＵＥは起動し、少なくともＤＲＸサイクルの各オンの期間のうちは、ＤＬスケジューリング信号／リクエストを受信可能となる必要がある。これに先立ち、ＵＥはさらにＤＬ受信のために最良のＲｘビームを測定、改良／検出する機会を設けなければならない。言い換えると、ＵＥは、ＤＲＸサイクルの有効時間に入ると、ＲＸビームがＰＤＣＣＨ受信にそろえられているかどうかを決定できる必要がある。ＤＬ  ＲＳ（ＣＳＩ−ＲＳ）が有効時間外に存在しなければ、これは可能とならない場合がある。
【００４３】
本発明の特定の態様によると、有効時間外の（Ｃ−ＤＲＸを有する）（構成された）ＣＳＩ−ＲＳリソースの存在は、適用されるＤＲＸサイクルの期間／長さに依存することが提案される。適用されたＣ−ＤＲＸサイクル長が特定の閾値を下回る場合、ＵＥはネットワークによって構成された構成済ＣＳＩ−ＲＳリソースが常に存在するとみなすことができ、Ｃ−ＤＲＸサイクル長が閾値を上回る場合、これらのリソースは存在するとみなされない。
【００４４】
本発明の方法を、一例としてＣ−ＤＲＸ（接続モードＤＲＸ）を使用して説明するが、当該方法は、ＩＤＬＥモードにおいてもＵＥが参照信号構成を決定または維持できる場合、ＩＤＬＥモードＤＲＸについても同様に適用可能である。一例では、ＵＥは接続モードで取得されたＣＳＩ−ＲＳ構成を維持してもよいし、または、ＵＥはブロードキャスト情報（システム情報、ＳＩＢ）からビーム管理／Ｌ３モビリティ参照信号構成を決定してもよい。ＩＤＬＥモードＤＲＸサイクルにおいて、有効時間は、ＵＥがページングメッセージ受信のためにＰＤＣＣＨを監視するように構成された時に該当する。有効時間外では、ＵＥはＰＤＣＣＨを監視する必要はないが、ビーム管理およびＬａｙｅｒ３モビリティのための測定を実施する必要がある場合がある。また、ＩＤＬＥおよび接続モードＤＲＸに加えて、この方法は、非動作モードにおいてもＵＥがモビリティ（またはビーム管理）参照信号構成（ＣＳＩ−ＲＳ構成）を想定できる場合に非動作モードに適用可能となり得、ＤＲＸが適用される。
【００４５】
本発明の別の特定の態様では、ｓｈｏｒｔＤＲＸ−ｃｙｃｌｅがＰＤＣＣＨ監視に適用されているときは、ＵＥは構成されたＣＳＩ−ＲＳリソースがオンの期間外に存在するとみなし、ｌｏｎｇＤＲＸ−ｃｙｃｌｅがＰＤＣＣＨ監視に適用されているときは、リソースはオンの期間にのみ存在するとされる。
【００４６】
本発明のさらなる態様によると、ＵＥがＣＳＩ−ＲＳリソースが少なくとも存在するとみなす時間ウィンドウが構成される。このようなウィンドウは、適用されるＤＲＸサイクルに依存し、時間ウィンドウは、オンの期間と同等以上であり、および／またはオンの期間を網羅し得る。時間ウィンドウはさらにオンの期間に先立つ特定の時間を網羅し、さらにオンの期間と重複し得る。
【００４７】
ＵＥがＣＳＩ−ＲＳが存在すると予期可能な期間すなわちウィンドウ長は、ＵＥの非動作時間および／またはＤＲＸ周期性の長さに依存し得る。つまり、ＤＲＸサイクルが特定の期間を下回る場合、ＣＳＩ−ＲＳ存在期間すなわちウィンドウ長は例えばＸであり、一方、ＤＲＸサイクルが特定の閾値を上回る場合、ＣＳＩ−ＲＳの存在期間は例えば２Ｘである。ウィンドウ長はスロット、サブフレーム、ミリ秒、シンボル回数などによって表され得る。１つ以上のＣＳＩ−ＲＳの存在期間に関連付けられた１つ以上の閾値が存在し得る。
【００４８】
上述の方法によると、ＣＳＩ−ＲＳリソースの存在は、実行またはリセットされている非動作タイマなどの何らかのタイマの動作に基づいてさらに調整され得る。
【００４９】
本発明の特定の態様の例１では、ＤＲＸサイクルごとの（すなわち短／長）ＣＳＩ−ＲＳリソースの存在（ＣＳＩ−ＲＳが有効時間外に存在するかどうか）は、ＣＳＩ−ＲＳリソースごとに構成される。これは、ＣＳＩ−ＲＳ構成の一部として、またはＤＲＸ構成（ＲＲＣ情報要素）としてシグナリングされてもよい。この構成がＣＳＩ−ＲＳリソース構成の一部である場合、このリソースが有効時間外（または本明細書に記載の時間ウィンドウ内）に存在すると予期できるかどうかを示すために特定のフィールドが使用されてもよい。ＣＳＩ−ＲＳの存在も、ＤＲＸ構成の一部であり得る。
【００５０】
ＣＳＩ−ＲＳリソースまたはリソースセット構成の一部として、３つの選択肢（短、長、不在）がシグナリングされ得る。例えば、短ＤＲＸサイクルが構成される場合、ＵＥは、リソースまたはリソースセットが短ＤＲＸにおいて存在するとみなすことができる。「不在」は、有効時間外にはリソースは存在するとみなすことができないことを示す。さらに、長ＤＲＸが示される場合、ＵＥは、長ＤＲＸの間にもＣＳＩ−ＲＳが存在するとみなすことができる。ＣＳＩ−ＲＳリソースは、短ＤＲＸおよび長ＤＲＸの間も存在するとみなされ得る。
【００５１】
これに代えて、上記を（またはある構成に加えて）ＵＥ要件または挙動として特定し得る。例えばＣＳＩ−ＲＳ構成に基づいて、ＵＥは、有効時間に先立つ複数の構成されたＣＳＩ−ＲＳを使用する場合がある。この数は特定され得る。
【００５２】
本発明の特定の態様に係る例２では、ＣＳＩ−ＲＳのセットはサブセットであるか、短ＤＲＸか長ＤＲＸかで異なり、以下のとおり動作モードとなり得る。
・  短ＤＲＸでは、ＵＥはＣＳＩ−ＲＳリソースまたはＣＳＩ−ＲＳリソースのセット（セットＣＳＩ−ＲＳ＿１）を想定し、長ＤＲＸでは、ＵＥはリソースに重複のない、または一部／完全に重複するセットＣＳＩ−ＲＳ＿２を想定可能である（両セットにおいて、ＣＳＩ−ＲＳ信号の一部または全部は同一である）。もしくは、この構成は、有効時間に構成されたもの（セットＣＳＩ−ＲＳ＿３であってもよい）と同様であると示されてもよい。
・  あるいは、ＵＥは、短ＤＲＸではセットＣＳＩ−ＲＳ＿１ａのセットを想定し、長ＤＲＸではセットＣＳＩ−ＲＳ＿１ｂを想定できる（セットＣＳＩ−ＲＳ＿１ｂは、セットＣＳＩ−ＲＳ＿１ａのサブセットである）。
【００５３】
本発明の特定の態様の例３において、ネットワークは、ＵＥが例えばＣＳＩ−ＲＳが存在すると予期できるＲＳウィンドウでＵＥを構成する。例１では、このＲＳウィンドウはオンの期間にそろえられ／重複可能である。例２では、このＲＳウィンドウはオンの期間に先立ち、これに部分的に重複可能である。例３では、このＲＳウィンドウはスタンドアローンである（オンの期間に必ずしも／常にそろえられていない／重複していない）。
【００５４】
本発明に係る例４は、上述の３つの例の組合せである。これらを図２に示す。
【００５５】
図２には、上述の例１から４に係るＣＳＩ−ＲＳ存在ウィンドウの説明を示す。
【００５６】
構成されたＣＳＩ−ＲＳリソースを有効時間外にネットワークによって動的に無効とする（送信されない）ことにより、（ＣＳＩ−ＲＳ送信を減らし、例えばデータなどの別のものをユーザに送信することにより）ネットワークはリソースの使用状況を改善し、オーバーヘッドを抑えることができ得る。さらに／あるいは、頻繁な（ＲＲＣに基づく）再構成を必要することなく、送信機を無効にすることによって他に送信すべきものがない場合に、省電力の効果がある。
【００５７】
次に、図３は、（非限定的な例として）１つの閾値と２つの異なるＤＲＸサイクルを使用するＤＲＸサイクルの関数としてＣＳＩ−ＲＳの存在期間を示す。
【００５８】
図３の例では、ＣＳＩ−ＲＳの存在時間すなわちウィンドウは、ＤＲＸサイクル長に依存する。図３の例２では、例１と比較して、ＤＲＸサイクル長が２倍になると、ＣＳＩ−ＲＳ存在ウィンドウの長さが２倍になっている。つまり、（この例では）オンの期間に連動してＣＳＩ−ＲＳが存在する時間の長さとＤＲＸサイクル長とは線形依存性を有する。この他にステップごとの手法も可能であり、すなわち、依存性は線形である必要はなく、以下に示す表に基づいてもよい。
【００５９】
ＤＲＸサイクル    ＣＳＩ−ＲＳの存在期間
ＤＲＸなし    適用なし
ＤＲＸサイクル≦３２０ミリ秒    ５ミリ秒
ＤＲＸサイクル＞３２０ミリ秒    １０ミリ秒
【００６０】
上掲の表に示すとおり、ＤＲＸサイクルが特定の閾値（表中の例では３２０ミリ秒であるが、これに限定されるものではなく、他の適切な閾値も使用可能である）を上回る場合、ＤＲＸサイクルが閾値を下回る場合よりも長時間にわたってＣＳＩ−ＲＳが存在する。また、ＤＲＸサイクルがない場合には、ＣＳＩ−ＲＳは存在しない。
【００６１】
以下では、図４以降を参照して本発明の例示的態様についてのさらに一般的な説明を行う。
【００６２】
図４は、発明の一部の例示的態様に係る方法の例を示すフローチャートである。
【００６３】
本発明の例示的態様による方法は、ユーザ機器などに実装されてもよいし、その一部であってもよい。この方法は、ユーザ機器に不連続受信が適用されるかどうかを判定することと、前記不連続受信が適用されると判定された場合、前記ユーザ機器の有効時間外に信号が存在するかどうかを判定すること（Ｓ４１）と、を含む。
【００６４】
本発明の一部の例示的態様によると、前記方法はさらに、ダウンリンクチャネルを監視するために前記ユーザ機器に適用される不連続受信サイクル（ＤＲＸサイクル）の長さを検出することと、前記ＤＲＸサイクルの前記検出された長さに基づいて、前記ＤＲＸサイクル内の前記有効時間外に前記信号が存在するかどうかを判定することと、を含む。
【００６５】
本発明の一部の例示的態様によると、前記有効時間は、前記ユーザ機器がダウンリンクチャネルを監視する期間である。
【００６６】
本発明の一部の例示的態様によると、前記方法はさらに、前記ユーザ機器に適用されるＤＲＸサイクルが短ＤＲＸサイクルに対応する場合、前記信号は前記有効時間外に存在すると判定することと、前記ユーザ機器に適用される前記ＤＲＸサイクルが長ＤＲＸサイクルに対応する場合、前記信号は前記有効時間内にのみ存在すると判定することと、を含む。
【００６７】
本発明の一部の例示的態様によると、前記ユーザ機器に適用されるＤＲＸサイクルが短ＤＲＸサイクルに対応する場合、信号の第１のセットが存在すると判定され、前記ユーザ機器に適用される前記ＤＲＸサイクルが長ＤＲＸサイクルに対応する場合、信号の第２のセットが存在すると判定され、前記第１のセットと前記第２のセットとは、互いに重複がないか、部分的に重複している。
【００６８】
本発明の一部の例示的態様によると、前記ユーザ機器に適用されるＤＲＸサイクルが短ＤＲＸサイクルに対応する場合、信号の第１のセットが存在すると判定され、前記ユーザ機器に適用される前記ＤＲＸサイクルが長ＤＲＸサイクルに対応する場合、信号の第２のセットが存在すると判定され、前記第２のセットは前記第１のセットのサブセットである。
【００６９】
本発明の一部の例示的態様によると、前記方法はさらに、ＤＲＸサイクルの検出された長さを所定の閾値と比較することと、前記ＤＲＸサイクルの前記検出された長さと前記所定の閾値との前記比較に基づいて、信号が存在するかどうかを判定することと、を含む。
【００７０】
本発明の一部の例示的態様によると、前記方法はさらに、前記ＤＲＸサイクルの前記長さが前記閾値を下回ると判定された場合、前記信号が存在すると判定することと、前記ＤＲＸサイクルの前記長さが前記閾値を上回ると判定された場合、前記信号が存在しないと判定することと、を含む。
【００７１】
本発明の一部の例示的態様によると、前記信号は参照信号（ＲＳ）である。
【００７２】
本発明の一部の例示的態様によると、前記信号はチャネル状態情報参照信号（ＣＳＩ−ＲＳ）である。
【００７３】
本発明の一部の例示的態様によると、前記ダウンリンクチャネルは物理ダウンリンク制御チャネル（ＰＤＣＣＨ）である。
【００７４】
本発明の一部の例示的態様によると、ＤＲＸサイクルの長さが、無線リソース構成情報要素（ＲＲＣ  ＩＥ）内のＣＳＩ−ＲＳ構成またはＤＲＸ構成の一部として示される。
【００７５】
本発明の一部の例示的態様によると、前記ＲＲＣ  ＩＥは、前記ＤＲＸサイクルの前記長さが短いもしくは長いことを示し、または前記ＣＳＩ−ＲＳが存在しないことを示す。
【００７６】
本発明の一部の例示的態様によると、前記不連続受信は接続モード不連続受信（Ｃ−ＤＲＸ）であり、ダウンリンクチャネルを監視するために前記ユーザ機器に適用される。
【００７７】
本発明の一部の例示的態様によると、前記不連続受信はＩＤＬＥモード不連続受信であり、ダウンリンクチャネルを監視するために前記ユーザ機器に適用される。
【００７８】
図５は、本発明の一部の例示的態様に係る方法の別の例を示すフローチャートである。
【００７９】
本発明の例示的態様による方法は、ユーザ機器などに実装されてもよいし、その一部であってもよい。この方法は、チャネル状態情報参照信号（ＣＳＩ−ＲＳ）が存在する時間ウィンドウを検出すること（Ｓ５１）と、ユーザ機器に適用される不連続受信サイクル（ＤＲＸサイクル）の長さを検出すること（Ｓ５２）と、を含み、前記時間ウィンドウの長さは前記ＤＲＸサイクルの前記長さに依存する。
【００８０】
本発明の一部の例示的態様によると、前記ＤＲＸサイクルの前記長さが長いほど、前記時間ウィンドウも長い。
【００８１】
本発明の一部の例示的態様によると、前記ＤＲＸサイクルの前記長さが所定の閾値を上回る場合、前記ＤＲＸサイクルの前記長さが前記所定の閾値を下回る場合よりも前記時間ウィンドウは長い。
【００８２】
本発明の一部の例示的態様によると、前記時間ウィンドウは、前記ユーザ機器がダウンリンクチャネルを監視する期間である有効時間とそろえられて、これと重複しているか、前記有効時間と少なくとも部分的に重複しているか、前記有効時間の直前であって、これと重複していないか、単に前記有効時間と重複していないか、のうちの少なくとも１つである。
【００８３】
本発明の一部の例示的態様によると、前記信号は参照信号（ＲＳ）である。
【００８４】
本発明の一部の例示的態様によると、前記信号はチャネル状態情報参照信号（ＣＳＩ−ＲＳ）である。
【００８５】
本発明の一部の例示的態様によると、前記ダウンリンクチャネルは物理ダウンリンク制御チャネル（ＰＤＣＣＨ）である。
【００８６】
本発明の一部の例示的態様によると、前記不連続受信は接続モード不連続受信（Ｃ−ＤＲＸ）であり、ダウンリンクチャネルを監視するために前記ユーザ機器に適用される。
【００８７】
本発明の一部の例示的態様によると、前記不連続受信はＩＤＬＥモード不連続受信であり、ダウンリンクチャネルを監視するために前記ユーザ機器に適用される。
【００８８】
図６は、本発明の一部の例示的態様に係る装置の別の例を示すブロック図である。
【００８９】
図６には、本発明の上述の各種態様を実装するように構成された装置６０の構成を示すブロック回路図を示す。図６に示す装置６０は、本明細書において後述するものに加えて、さらに複数の要素または機能を備えてもよいが、これらは本発明の理解に不可欠ではないため、説明を単純化するために本明細書では割愛される。さらに、装置は、チップセット、チップ、モジュールなどの同様の機能を有する別のデバイスであってもよく、これは例えば装置の一部であっても、装置に対する別個の要素として取り付けられてもよい。
【００９０】
装置６０は、プログラムなどによって与えられる命令を実行するＣＰＵなどの処理機能またはプロセッサ６１を備えてもよい。プロセッサ６１は、後述するような特定の処理専用の１つまたは複数の処理部を備えてもよく、または、この処理が単一のプロセッサにおいて実行されてもよい。このような特定の処理を実行する部分は、例えば、個別の要素として提供されてもよく、またはＣＰＵなどの１つの物理的プロセッサまたは複数の物理エンティティにおけるものなど、１つまたは複数のプロセッサまたは処理部内で提供されてもよい。参照符号６２は、プロセッサ６１に接続された送受信機または入／出力（Ｉ／Ｏ）ユニット（インタフェース）を示す。Ｉ／Ｏユニット６２は、１つ以上の他のネットワーク要素、エンティティ、端末などと通信するために使用されてもよい。Ｉ／Ｏユニット６２は、複数のネットワーク要素に対する通信機器を備える組み合わされたユニットであってもよく、または異なるネットワーク要素に対する複数の異なるインタフェースを有する分散された構造を備えてもよい。装置６０はさらに、例えば、プロセッサ６１により実行されるデータおよびプログラムを格納するために使用可能な、および／またはプロセッサ６１の作業用ストレージとして使用可能な、少なくとも１つのメモリ６３を備える。
【００９１】
プロセッサ６１は、上述の態様に関連する処理を実行するように構成される。
【００９２】
特に、装置６０は、ユーザ機器などに実装されてもよいし、その一部であってもよく、図４および５に関連して説明される処理を実施するように構成されてもよい。
【００９３】
さらに、本発明は、上述の処理を実施するための手段を備える装置によって実装されてもよい。
【００９４】
つまり、前記装置は、ユーザ機器に不連続受信が適用されるかどうかを判定する手段と、前記不連続受信が適用されると判定された場合、前記ユーザ機器の有効時間外に信号が存在するかどうかを判定する手段と、を備える。
【００９５】
さらに、前記装置は、チャネル状態情報参照信号（ＣＳＩ−ＲＳ）が存在する時間ウィンドウを検出する手段と、前記ユーザ機器に適用される不連続受信サイクル（ＤＲＸサイクル）の長さを検出する手段と、を備え、前記時間ウィンドウの長さは前記ＤＲＸサイクルの前記長さに依存する。
【００９６】
この装置の機能に関するさらなる詳細について、図４および図５に関連して説明される本発明の一部の例示的態様に係る方法の説明が参照される。
【００９７】
装置についての上述の例示的説明においては、機能ブロックを使用して、本発明の原則を理解するために関連するユニット／手段のみを説明してきた。装置は、それぞれの動作に必要なさらに他のユニット／手段を備えてもよいが、これらのユニット／手段の説明は本明細書では割愛する。装置の機能的ブロックの構成は、本発明を限定するとは解釈されず、機能は１つのブロックによって実施されてもよいし、複数のサブブロックにさらに分割されてもよい。
【００９８】
上述の説明において装置（または何らかの他の手段）が何らかの機能を実行するように構成されると説明するときには、１つの（すなわち、少なくとも１つの）プロセッサまたは対応する回路が、場合によっては、それぞれの装置のメモリに格納されたコンピュータプログラムコードと連動して、少なくとも前述の機能を装置に実行させるように構成されるという説明に等しいと解釈しなければならない。さらに、そのような機能は、各機能を実施するために特定的に構成された回路または手段によって同等に実装可能であると解釈しなければならない（すなわち、「するように構成されたユニット」という表現は、「の手段」などの表現と均等であると解釈される）。
【００９９】
本明細書において上述された本発明の目的を鑑み、以下の点を示す。
・  ソフトウェアコード部分として実装される可能性が高く、装置におけるプロセッサを使用して起動される方法ステップ（デバイス、装置、および／またはこれらのモジュールの例として、または装置および／またはこれらのモジュールを含むエンティティの例として）は、ソフトウェアコード非依存とすることができ、方法ステップによって定義される機能性が保たれる限り、あらゆる公知のまたは将来開発されるプログラミング言語を用いて指定することができる。
・  一般的に、いずれの方法ステップも、実装される機能面で態様／実施形態およびその変形例の発想を変えることなくソフトウェアとしてまたはハードウェアによって実装されるのに適している。
・  上述の装置、またはその任意のモジュール（例えば、上述のように態様／実施形態に係る装置の機能を実行するデバイス）においてハードウェア構成要素として実施される可能性の高い方法ステップおよび／またはデバイス、ユニット、または手段は、ハードウェアタイプ非依存とすることができ、金属酸化膜半導体（Metal Oxide Semiconductor：ＭＯＳ）、相補型ＭＯＳ（Complementary MOS：ＣＭＯＳ）、バイポーラＭＯＳ（Bipolar MOS：ＢｉＭＯＳ）、バイポーラＣＭＯＳ（Bipolar CMOS：ＢｉＣＭＯＳ）、エミッタ結合型論理回路（Emitter Coupled Logic：ＥＣＬ）、トランジスタ−トランジスタ論理回路（Transistor-Transistor Logic：ＴＴＬ）などのようなあらゆる公知のまたは将来開発されるハードウェア技術またはこれらのいずれかの混成を用いて実装することができ、これらは、例えば、特定用途向け集積回路（Application Specific Integrated Circuit：ＡＳＩＣ）構成要素、フィールドプログラマブルゲートアレイ（Field-programmable Gate Array：ＦＰＧＡ）構成要素、結合プログラマブルロジックデバイス（Complex Programmable Logic Device：ＣＰＬＤ）構成要素、加速プロセッサユニット（Accelerated Processor Unit：ＡＰＵ）、グラフィックスプロセッシングユニット（Graphics Processor Unit：ＧＰＵ）またはデジタルシグナルプロセッサ（Digital Signal Processor：ＤＳＰ）構成要素を用いるものである。
・  デバイス、ユニット、または手段（例えば、上述の装置やそれらのユニット／手段のいずれか１つ）は、個別のデバイス、ユニット、または手段として実装することができるが、これは、当該デバイス、ユニット、または手段の機能性が保たれる限り、これらをシステムにわたって分散形式で実装してもよいことを除外するものではない。
・  装置は、半導体チップ、チップセット、またはこのようなチップまたはチップセットを含む（ハードウェア）モジュールによって表すことができるが、これは、装置またはモジュールの機能性が、ハードウェア実装される代わりに、プロセッサ上で実行／起動するための実行可能ソフトウェアコード部分を含むコンピュータプログラムまたはコンピュータプログラム製品のような（ソフトウェア）モジュールでソフトウェアとして実装される可能性を除外するものではない。
・  デバイスは、例えば、機能的に相互に協働しようと、機能的に相互に独立しているが同じデバイスの筐体内にあろうと、装置として、または２つ以上の装置のアセンブリとみなしてもよい。
【０１００】
一般的に、上述の態様によるそれぞれの機能ブロックまたは要素は、それぞれの部分の説明した機能を実行するように適合させられてさえいれば、それぞれハードウェアおよび／またはソフトウェアのいずれにおいても、あらゆる公知の手段によって実装可能であることに注意されたい。本明細書で説明されている方法ステップは、個々の機能ブロックまたは個々のデバイスにより達成可能であり、またはこれら方法ステップの１つ以上は、単一の機能ブロックまたは単一の機器により達成可能である。
【０１０１】
一般的に、いずれの方法ステップも、本発明の発想を変えることなくソフトウェアとしてまたはハードウェアによって実装されるのに適している。デバイスおよび手段は、個別のデバイスとして実装可能であるが、これは、当該デバイスの機能性が保たれる限り、システムにわたって分散形式で実装されることを除外するものではない。このような原則は、当業者には公知と考えられる。
【０１０２】
本説明の意味におけるソフトウェアは、それぞれの機能を実行するための、コード手段またはコード部分を含むようなソフトウェアコード、あるいはコンピュータプログラムまたはコンピュータプログラム製品、ならびにそれぞれのデータ構造またはコード手段／部分が格納されたコンピュータ可読（ストレージ）媒体のような有形媒体上に体現された、または場合によってはそれらの処理中に信号またはチップに体現されたソフトウェア（あるいはコンピュータプログラムまたはコンピュータプログラム製品）を含む。
【０１０３】
上述した態様／実施形態ならびに一般的な例および特定の例は、説明の目的に限って供されたものであり、本発明をこれらに何ら限定する意図はない。むしろ、添付の請求項の範囲に該当するすべての変更および変形例が網羅されることが意図される。
【図１】
2021528006.tif 000003
【図２】
2021528006.tif 000004
【図３】
2021528006.tif 000005
【図４】
2021528006.tif 000006
【図５】
2021528006.tif 000007
【図６】
2021528006.tif 000008
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
ユーザ機器において使用する方法であって、
前記ユーザ機器に不連続受信（Discontinuous Reception：ＤＲＸ）が適用されるかどうかを判定することと、
前記不連続受信が適用されると判定された場合、前記ユーザ機器の有効時間外に信号が存在するかどうかを判定することと、
を含む方法。
【請求項２】
ダウンリンクチャネルを監視するために前記ユーザ機器に適用される不連続受信サイクル（ＤＲＸサイクル）の長さを検出することと、
前記ＤＲＸサイクルの前記検出された長さに基づいて、前記ＤＲＸサイクル内の前記有効時間外に前記信号が存在するかどうかを判定することと、
をさらに含む、請求項１に記載の方法。
【請求項３】
前記有効時間は、前記ユーザ機器がダウンリンクチャネルを監視する期間である、請求項１または２に記載の方法。
【請求項４】
ＤＲＸサイクルの検出された長さを所定の閾値と比較することと、
前記ＤＲＸサイクルの前記検出された長さと前記所定の閾値との前記比較に基づいて、信号が存在するかどうかを判定することと、
をさらに含む、請求項１に記載の方法。
【請求項５】
前記ＤＲＸサイクルの前記長さが前記閾値を下回ると判定された場合、前記信号が存在すると判定することと、
前記ＤＲＸサイクルの前記長さが前記閾値を上回ると判定された場合、前記信号が存在しないと判定することと、
をさらに含む、請求項４に記載の方法。
【請求項６】
前記信号は参照信号（Reference Signal：ＲＳ）であり、または、
前記信号はチャネル状態情報参照信号（Channel State Information Reference Signal：ＣＳＩ−ＲＳ）であり、さらに／または、
前記ダウンリンクチャネルは物理ダウンリンク制御チャネル（Physical Downlink Control Channel：ＰＤＣＣＨ）である、請求項２または３に記載の方法。
【請求項７】
ＤＲＸサイクルの長さが、無線リソース構成情報要素（Radio Resource Configuration Information Element：ＲＲＣ  ＩＥ）内のＣＳＩ−ＲＳ構成またはＤＲＸ構成の一部として示される、請求項６に記載の方法。
【請求項８】
前記不連続受信は接続モード不連続受信（Connected mode Discontinuous Reception：Ｃ−ＤＲＸ）であり、ダウンリンクチャネルを監視するために前記ユーザ機器に適用される、請求項１から７のいずれかに記載の方法。
【請求項９】
ユーザ機器に不連続受信が適用されるかどうかを判定する手段と、
前記不連続受信が適用されると判定された場合、前記ユーザ機器の有効時間外に信号が存在するかどうかを判定する手段と、
を備える、装置。
【請求項１０】
ダウンリンクチャネルを監視するために前記ユーザ機器に適用される不連続受信（Discontinuous Reception：ＤＲＸ）サイクル（ＤＲＸサイクル）の長さを検出する手段と、
前記ＤＲＸサイクルの前記検出された長さに基づいて、前記ＤＲＸサイクル内の前記有効時間外に前記信号が存在するかどうかを判定する手段と、
を更に備える、請求項９に記載の装置。
【請求項１１】
前記有効時間は、前記ユーザ機器がダウンリンクチャネルを監視する期間である、請求項９または１０に記載の装置。
【請求項１２】
ＤＲＸサイクルの検出された長さを所定の閾値と比較する手段と、
前記ＤＲＸサイクルの前記検出された長さと前記所定の閾値との前記比較に基づいて、信号が存在するかどうかを判定する手段と、
を更に備える、請求項９に記載の装置。
【請求項１３】
前記ＤＲＸサイクルの前記長さが前記閾値を下回ると判定された場合、前記信号が存在すると判定する手段と、
前記ＤＲＸサイクルの前記長さが前記閾値を上回ると判定された場合、前記信号が存在しないと判定する手段と、
を更に備える、請求項１２に記載の装置。
【請求項１４】
前記信号は参照信号（Reference Signal：ＲＳ）であり、または、
前記信号はチャネル状態情報参照信号（Channel State Information Reference Signal：ＣＳＩ−ＲＳ）であり、さらに／または、
前記ダウンリンクチャネルは物理ダウンリンク制御チャネル（Physical Downlink Control Channel：ＰＤＣＣＨ）である、請求項１０又は１１に記載の装置。
【請求項１５】
ＤＲＸサイクルの長さが、無線リソース構成情報要素（Radio Resource Configuration Information Element：ＲＲＣ  ＩＥ）内のＣＳＩ−ＲＳ構成またはＤＲＸ構成の一部として示される、請求項１４に記載の装置。
【請求項１６】
前記不連続受信は接続モード不連続受信（Connected mode Discontinuous Reception：Ｃ−ＤＲＸ）であり、ダウンリンクチャネルを監視するために前記ユーザ機器に適用される、請求項９から１５のいずれかに記載の装置。
【請求項１７】
処理手段及び記憶手段を備える装置であって、前記記憶手段はプログラム命令を格納し、前記プログラム命令は、前記処理手段に実行されると、前記装置に、請求項１から８のいずれかに記載の方法を遂行させるように構成される、装置。
【国際調査報告】
2021528006.tif 000009
2021528006.tif 000010
2021528006.tif 000011
2021528006.tif 000012
2021528006.tif 000013
2021528006.tif 000014